(57)【要約】【課題】性能の低下なしに奥行きを小さくしかさ張らないものとする。【解決手段】ファン１により本体２内に吸引した室４内の空気７を清浄化部３に通して清浄化した後室４内に戻すのに、ファン１はそれを駆動するモータ５の側を本体２の吸気口６を持った前壁２ａ１側にして配置し、前記モータ５のまわりに清浄化部３を設けて、吸気口６とファン１との間に位置させるようにして、上記の目的を達成する。【選択図】  図１
2004361051.tif 000002
【特許請求の範囲】
【請求項１】
ファンにより本体内に吸引した室内空気を清浄化部に通して清浄化した後室内に戻す空気清浄機において、
ファンはそれを駆動するモータの側を本体の吸気口を持った前壁側にして配置し、前記モータのまわりに清浄化部を設けて、吸気口とファンとの間に位置させたことを特徴とする空気清浄機。
【請求項２】
ファンにより本体内に吸引した室内空気を清浄化部に通して清浄化した後室内に戻す空気清浄機において、
本体は吸気口を持った前壁とそれを持たない後壁との間に、ファンおよびそれを駆動するモータを、モータが吸気口側となる向きで収容し、清浄化部はモータのまわりに設けたことを特徴とする空気清浄機。
【請求項３】
ファンにより本体内に吸引した室内空気を清浄化部に通して清浄化した後室内に戻す空気清浄機において、
清浄化部はファンを駆動するモータのまわりに設けたことを特徴とする空気清浄機。
【請求項４】
清浄化部の厚みはモータの軸線方向寸法以内である請求項１〜３のいずれか１項に記載の空気清浄機。
【請求項５】
清浄化部はフィルタであって、モータと嵌め合わせる孔を有している請求項４に記載の空気清浄機。
【請求項６】
本体内のファンケーシング部に、フィルタを支持している請求項５に記載の空気清浄機。
【請求項７】
フィルタはフィルタ材を一方向に蛇腹折りしてあり、前記孔は相対向する２辺が蛇腹折りの折り目に沿い、他の相対向する２辺が蛇腹折りの折り目に直交する矩形形状である請求項５、６のいずれか１項に記載の空気清浄機。
【請求項８】
モータは前記孔と嵌り合う横断面矩形のモータケースに収容している請求項７に記載の空気清浄機。
【請求項９】
モータケースは、前記ファンケーシング部に一体成形されている請求項８に記載の空気清浄機。
【発明の詳細な説明】
【０００１】
【発明の属する技術分野】
本発明は空気清浄機に関し、詳しくは、ファンにより本体内に吸引した室内空気を清浄化部に通して清浄化した後室内に戻す空気清浄機に関するものである。
【０００２】
【従来の技術】
この種の空気清浄機で、図２０に示すように本体ａの吸気口ｂ側から、フィルタｃ、モータｄ、ファンｅが順次に並び、ファンｅによって吸気口ｂから吸引した室内空気をフィルタｃに通して清浄化した後、本体ａの周壁一部に設けた図示しない排気口から排気して室内に戻すようにしたものが既に知られている（例えば、特許文献１参照。）。しかも、従来のものの多くは、図２０に示すようにモータｄおよびファンｅ共に、それぞれに単独の軸線方向領域を持って設けられている。また、特許文献１に記載のもののように、モータｄの設置域を利用してファンｅの軸線方向寸法を大きくとり、必要な風量を確保することも行われている。
【０００３】
【特許文献１】
特開２０００−３２５４４６号公報
【０００４】
【発明が解決しようとする課題】
ところで、空気清浄機では、室内空気をできるだけ広域から吸引して清浄化し、室内に戻せるようにするといったことのために、本体ａの吸気口ｂは本体ａの前壁にできるだけ大きく設けられるのが一般的である。このため、本体の前面の面積がどうしても大きくなる上に、上記従来のような構成では、本体ａ内にフィルタｃ、モータｄ、ファンｅが軸線方向に並ぶために奥行きも大きく、全体にかさ張る。従って、部屋のどの位置に設置するにも邪魔になりやすいし、不体裁で目障りでもある。
【０００５】
本発明の目的は、性能の低下なしに奥行きを小さくしかさ張らない空気清浄機を提供することにある。
【０００６】
【課題を解決するための手段】
上記のような目的を達成するために、本発明の空気清浄機は、ファンにより本体内に吸引した室内空気を清浄化部に通して清浄化した後室内に戻す空気清浄機において、ファンはそれを駆動するモータの側を本体の吸気口を持った前壁側にして配置し、前記モータのまわりに清浄化部を設けて、吸気口とファンとの間に位置させたことを１つの特徴としている。
【０００７】
本発明の空気清浄機は、また、ファンにより本体内に吸引した室内空気を清浄化部に通して清浄化した後室内に戻す空気清浄機において、本体は吸気口を持った前壁とそれを持たない後壁との間に、ファンおよびそれを駆動するモータを、モータが吸気口側となる向きで収容し、清浄化部はモータのまわりに設けたことを他の特徴としている。
【０００８】
これらの構成では、清浄化部がモータの回りに配置されて、本体内はその吸気口を持った前壁の後方にファンおよびモータが軸線方向に並ぶだけのスペースがあればよく、吸気口や清浄化部の通風面積をモータのまわりで十分に大きくとって性能を確保しても、本体は扁平化して奥行きの小さな全体にかさ張らないものとなる。従って、性能の低下なしに、邪魔になりにくい体裁のよいものとなる。また、清浄化部がモータのまわりにあっても、モータが本体の吸気口側にあることによりファンは清浄化部の下流に位置して清浄化された空気にしか触れないので、吸引する空気に随伴する塵埃が付着するようなことがないし、付着した塵埃が清浄化後室内に戻される空気に随伴するようなことを回避することができる。
【０００９】
このような構成では、本体内はその吸気口を持った前壁の後方にファンおよびモータが軸線方向に並ぶだけのスペースがあればよく、吸気口や清浄化部の通風面積をモータまわりで十分に大きくとって性能を確保しても、本体は奥行きの小さな全体にかさ張らないものとなる。従って、性能の低下なしに、邪魔になりにくい体裁のよいものとなる。
【００１０】
しかし、本体の扁平化だけであれば、ファンにより本体内に吸引した室内空気を清浄化部に通して清浄化した後室内に戻す空気清浄機において、清浄化部はファンを駆動するモータのまわりに設けたことを特徴とするもので足りる。
【００１１】
清浄化部の厚みはモータの軸線方向寸法以内である、さらなる構成では、
清浄化部の厚みを増してその性能を高めるにも、モータから軸線方向にはみ出した専用スペースをとらないので、ファンおよびモータの軸線方向寸法程度に本体を扁平化することを妨げない。
【００１２】
清浄化部がフィルタであって、モータと嵌め合わせる孔を有している、さらなる構成では、
清浄化部はモータと孔で嵌り合ってモータのまわりに位置して、フィルタ材やその構造に応じ濾過またはおよび吸着といった各種の清浄化機能を、モータに邪魔されることなく発揮することができる。
【００１３】
本体内のファンケーシング部に、フィルタを支持している、さらなる構成では、
フィルタを本体内に支持するのに本体内のファンケーシング部を共用するので、特別な専用の支持部材や組み立て作業が不要で構造が簡略化しコストを低減することができる。
【００１４】
フィルタはフィルタ材を一方向に蛇腹折りしてあり、前記孔は相対向する２辺が蛇腹折りの折り目に沿い、他の相対向する２辺が蛇腹折りの折り目に直交する矩形形状である、さらなる構成では、
フィルタ材の蛇腹折りにより平坦材に比して通風面積が格段に増大し、その分だけ濾過機能が増大し、通風抵抗を低減することができる。また、蛇腹折り方向が一方向であって、しかも、モータと嵌り合う孔が相対向する２辺が蛇腹折りの折り目に沿い、他の相対向する２辺が蛇腹折りの折り目に直交する矩形形状であるので、所定の形状および大きさを持った孔を形成することも含め製作しやすいものとなる。
【００１５】
モータが前記孔と嵌り合う横断面矩形のモータケースに収容している、さらなる構成では、
モータはそれを収容したモータケースにて横断面矩形の外形を容易に得て、フィルタの矩形の孔と隙間なしに嵌り合うことができ、フィルタとの間で空気が漏れるようなことを防止することができる。
【００１６】
モータケースが、ファンケーシング部に一体成形されている、さらなる構成では、
モータを収容するモータケースを設けるのに、ファンケーシング部を共用するので、特別な専用の部材や組立て作業が不要であるので、構造が簡略化しコストが低減する。
【００１７】
本発明のそれ以上の目的および特徴は、以下の詳細な説明および図面の記載によって明らかになる。
【００１８】
【実施例】
以下、本発明に係る空気清浄機の実施例につき、図１〜図１９を参照しながら詳細に説明し、本発明の理解に供する。以下の説明は本発明の具体例であって、特許請求の範囲の記載を限定するものではない。
【００１９】
図１、図２に示す空気清浄機は、従来の場合と同様に、ファン１により本体２内に吸引した室４内の空気７を清浄化部３に通して清浄化し、清浄化した後の清浄化空気７ａを室４内に戻すことを繰り返し、室４内の空気を清浄化する。本体２は合成樹脂製の前壁部材２ａと後壁部材２ｂと組み合わせて中空のケースにしてある。ファン１はそれを駆動するモータ５の側を本体２の吸気口６を持った前壁２ａ１側にして配置し、前記モータ５のまわりに清浄化部３を設けて、吸気口６とファン１との間に位置させてある。また、別に、本体２は吸気口６を持った前壁２ａ１とそれを持たない後壁２ｂ１との間に、ファン１およびそれを駆動するモータ５を、モータ５が吸気口６側となる向きで収容し、清浄化部３はモータ５のまわりに設けたものとすることもできる。
【００２０】
なお、吸気口６は前壁２ａ１のモータ５に対応する部分のまわりに、従って、モータ５に対応する部分を除いて、図１、図１０、図１１に例示するように本体２の前面のほぼ全域に矩形をなして形成してある。これにより室４内の空気をできるだけ広域から吸引して清浄化できる。これに併せ、清浄化部３も前記吸気口６にほぼ対応する通風面を持ったものとしてあり、十分な清浄化機能を確保できる。
【００２１】
以上のように、清浄化部３がモータ５の回りに配置されているため、本体２内はその吸気口６を持った前壁２ａ１の後方にファン１およびモータ５が軸線１１の方向に並ぶだけの図１に例示するようなスペースがあればよい。吸気口６や清浄化部３の通風面積をモータ５のまわりで、上記したように十分に大きくとって性能を確保しても、本体２は図１に見られるように扁平化して奥行きの小さな全体にかさ張らないものとなる。従って、性能の低下なしに、邪魔になりにくい体裁のよいものとなる。また、清浄化部３がモータ５のまわりにあっても、モータ５が本体２の吸気口６側にあることによりファン１は清浄化部３の下流に位置して清浄化された空気７ａにしか触れないので、吸引する空気に随伴する塵埃が付着するようなことがないし、付着した塵埃が清浄化後室４内に戻される清浄化空気７ａに随伴するようなことを回避することができる。
【００２２】
ところで、本体２の上記のような扁平化だけであれば、ファン１により本体２内に吸引した室４内の空気７を清浄化部３に通して清浄化した後室４内に戻す空気清浄機において、清浄化部３はファン１を駆動するモータ５のまわりに設けただけの構成でこと足りる。
【００２３】
ファン１はモータ５に直結した合成樹脂製の羽根車１ａと、吸気口１ｂ１および排気口１ｂ２を持った合成樹脂製のケーシング１ｂとで構成した多翼ファン、シロッコファンとしてある。ケーシング１ｂの吸気口１ｂ１はモータ５のまわりに開口し、本体の吸気口６と清浄化部３を挟んで対向している。ケーシング１ｂの排気口１ｂ２は本体２の上部に設けた排気口８に接続している。これにより、羽根車１ａがモータ５によって回転駆動されると、吸気口６を通じて室４内の空気７を本体２内に吸引して清浄化部３を通じ清浄化された空気７ａを吸気口１ｂ１からケーシング１ｂ内に吸込んで排気口１ｂ２へと吹き出し、排気口８を通じ室４内に排気し室４内に戻す。
【００２４】
なお、排気口８は後壁部材２ｂの上部壁に左右方向に細長く形成してあり、清浄化空気７ａを吸気口６からの吸気域外に向け比較的勢いよく排気して遠くに届くようにする。これにより、室４内に排気される清浄化空気７ａは室４内からの吸気を乱したり、バイパスしてその吸気流に合流するようなことなく、吸気域からよりはなれた室４内に戻されて、室４内が清浄化空気７ａとよりむらなく入れ替わっていくようになる。図示する吸気口６と排気口８の配置例では本体２を壁際に置くか、壁掛けとして用いるのに好適である。そのようにすると、室４内において前面の広い吸気口６からその前方の空気７を図１に矢印で示すように広域から吸引しながら、左右に細長い排気口８から清浄化空気７ａを真上に排気し、壁面に沿って上がった後、天井に沿って前方へ向かい、遠のいて流速が低下するのにつれ拡散度を増しながら吸気域からより遠い場所に戻される。以上の繰り返しで室４内の空気７は循環し順次清浄化される。
【００２５】
ここで、清浄化部３の図１に示す厚みＴはモータ５の軸線１１の方向での寸法以内とする。これにより、清浄化部３の厚みＴを増してその性能を高めるにも、モータ５から軸線１１の方向にはみ出した専用スペースをとらないので、ファン１およびモータ５の軸線１１の方向の寸法程度に本体２を扁平化することを妨げない。
【００２６】
また、清浄化部３は空気７を目的の程度に清浄化できればどのような方式、性質のものでもよいが、本実施例では少なくとも濾過機能を有したフィルタとしてある。このため、モータ５のまわりに配置できるように、モータ５と嵌め合わせる図１、図７、図９に示すような孔１２を有したものとしている。これにより、清浄化部３はモータ５と孔１２で嵌り合ってモータ５のまわりに位置して、フィルタ材やその構造に応じ濾過またはおよび吸着といった各種の清浄化機能を、モータ５に邪魔されることなく発揮することができる。
【００２７】
図１に示す清浄化部３は、空気７中の臭いを吸着機能などで除去する活性炭などの脱臭フィルタ３ａ（図６、図７）と空気７中の塵埃を捕捉する不織布などの集塵フィルタ３ｂ（図８、図９）との組み合わせとしてある。これらによって、空気７は臭いと塵埃とが除去された清浄化空気７ａとされる。特に、脱臭フィルタ３ａは下流側、集塵フィルタ３ｂは上流側に配置し、脱臭フィルタ３ａが塵埃の影響を受けないようにしている。
【００２８】
これら脱臭フィルタ３ａおよび集塵フィルタ３ｂは、本体２内のファンケーシング１ｂ部によって支持している。このように、脱臭フィルタ３ａや集塵フィルタ３ｂを本体２内に支持するのに本体２内のファンケーシング１ｂ部を共用するので、特別な専用の支持部材や組み立て作業が不要で構造が簡略化しコストを低減することができる。
【００２９】
また、集塵フィルタ３ｂは図２、図９に示すようにフィルタ材を一方向に蛇腹折りしてあり、前記孔１２は図９に示すように相対向する２辺が蛇腹折りの折り目１３に沿い、他の相対向する２辺が蛇腹折りの折り目１３に直交する矩形形状としてある。このような集塵フィルタ３ｂは、そのフィルタ材の蛇腹折りにより平坦材に比して通風面積が格段に増大し、その分だけ濾過機能が増大し、通風抵抗を低減することができる。また、蛇腹折り方向が一方向であって、しかも、モータ５と嵌り合う孔１２が相対向する２辺が蛇腹折りの折り目１３に沿い、他の相対向する２辺が蛇腹折りの折り目１３に直交する矩形形状であるので、所定の形状および大きさを持った孔１２を形成をすることも含め製作しやすいものとなる。
【００３０】
モータ５は図１に示すように、前記孔１２と嵌り合う横断面矩形のモータケース１４に収容している。これにより、モータ５はそれを収容したモータケース１４にて横断面矩形の外形を容易に得られる。また、これによって図７、図９に示すような脱臭フィルタ３ａや集塵フィルタ３ｂの矩形の孔１２と隙間なしに嵌り合うことができ、これら脱臭フィルタ３ａ、集塵フィルタ３ｂとの間で空気が漏れるようなことを防止することができる。しかも、モータケース１４もケーシング１ｂ部に一体成形されている。これにより、モータ５を収容するモータケース１４を設けるのに、ケーシング１ｂ部を共用するので、特別な専用の部材や組立て作業が不要であるので、構造が簡略化しコストが低減する。
【００３１】
さらに、具体的に説明すると、本体２の前壁部材２ａは図１、図２、図３に示すように、後壁部材２ｂは図１、図１３、図１４に示すように、共にパン型の部材であり、図１に示すように最中合わせに突き合わせて本体２を構成するようにしてある。後壁部材２ｂの後壁２ｂ１には図１３、図１４に示すようなボス１５を一体成形してあり、このボス１５に図１５、図１６に示すような仕切り板１７を当てがい取り付け孔１８を通じ図示しないねじにて取り付けるようにしている。これによって、本体２内は合成樹脂製の仕切り板１７によって清浄化部３の側とファン１の側とに仕切られている。
【００３２】
仕切り板１７の外周には前方に向く周壁１７ａが一体成形され、この周壁１７ａが図１に示すように前壁部材２ａと後壁部材２ｂとの合わせ目の内側に位置し、後壁部材２ｂと仕切り板１７を取り付けた状態で前壁部材２ａとの印籠嵌め部を形成する。これにより、前壁部材２ａおよび後壁部材２ｂの突き合わせ部の一側をヒンジ連結するなどして前壁部材２ａを開閉してメンテナンスに対応できるようにすると、印籠嵌め部が案内部となってスムーズに開閉できる。このように、ヒンジ連結する場合は、反対側の合わせ目では開放時まで閉じ状態を保つための係合具や連結具ないしはそのような構造部を設けるのが好適である。もっとも、前壁部材２ａはねじなどによる着脱構造を採用することもできる。
【００３３】
仕切り板１７はその後面に、図１、図１５、図１７に示すようなファン１の羽根車１ａを収容するベルマウス１ｂ４が立ち上がるように一体形成しており、ケーシング１ｂの本体２内の部分をなし、前記後壁部材２ｂへの取り付けによってその後壁２ｂ１の一部を共用しケーシング１ｂを構成するようにしてある。そこで、吸気口１ｂ１は仕切り板１７におけるベルマウス１ｂ４およびモータ５の中心に対して同心に開口しており、ファン１側に緩やかな湾曲部を持って延びる気流ガイド１ｂ３を形成してあり、風切り音の発生を抑えられるようにしている。
【００３４】
また、ケーシング１ｂの一部である仕切り板１７は、既述したように脱臭フィルタ３ａおよび集塵フィルタ３ｂを保持するのに、その前面に図１、図１６、図１７に示すように矩形の保持枠２１を立ち上がるように一体成形して、その内側に脱臭フィルタ３ａおよび集塵フィルタ３ｂを嵌め入れるようにしている。仕切り板１７の前面の保持枠２１内周に沿う領域には、脱臭フィルタ３ａおよび集塵フィルタ３ｂを図１に示す所定の隙間Ｓだけ浮かせて通風路３０を形成するためのリブ２２を形成してある。吸気口１ｂ１はモータ５、図示例ではモータケース１４との間で形成する吸引通路でのファン１による吸引効率を確保するために、脱臭フィルタ３ａおよび集塵フィルタ３ｂの通風面積に対し図１に示すように小さく設計されるが、前記隙間Ｓによる通風路３０を通じ脱臭フィルタ３ａおよび集塵フィルタ３ｂの周辺にも空気７を導入して清浄化に実用できるようにしている。なお、脱臭フィルタ３ａおよび集塵フィルタ３ｂは図１に示すような通気を妨げない１つのケース４０に収容して前記保持枠２１に保持されるようにし、組み立てやメンテナンス時に１つのものとして着脱し、取り扱えるようにしている。
【００３５】
また、ケーシング１ｂの一部である仕切り板１７は、既述したようにモータ５を収容するモータケース１４を設けるのに、吸気口１ｂ１内にそれと同心なように図１、図１５、図１６に示すような通気格子２３を介して一体形成してあり、吸気口１ｂ１での吸気を妨げないようにしてある。モータケース１４は前方の開口１４ａからモータ５を軸線方向に収容し、開口１４ａを閉じてねじ２４にて止めた合成樹脂製の蓋２５の保持孔２５ａと、モータケース１４の後端壁に設けた保持孔１４ｂとでモータ５の前後小径部５ａ、５ｂとを嵌め合せて保持している。通気格子２３もリブ２２と同じ高さで、一部は連なって脱臭フィルタ３ａおよび集塵フィルタ３ｂを受け止めるようにしている。蓋２５がなすモータケース１４の前端面は本体２の前壁２ａ１と近接ないしは接触に近い状態であるのに対し、清浄化部３の前面、図示例では集塵フィルタ３ｂの前面は本体２の前壁２ａ１とは離れていて、通風路３２をなし、吸気口６に設けられた多数のスリット部６ａを通過した吸引空気７が集塵フィルタ３ｂの全面に広がって通過できるようにしている。
【００３６】
また、モータケース１４と蓋２５には、図１５、図１６、図１８、図１９に示すような通気孔２０を設けて、モータ５が昇温するのに対応できるようにしてある。蓋２５は図１８、図１９に示すように、その一角に後方へ突出する突片２５ｂを形成してあり、これがモータケース１４の前端側に設けた図示しないきり欠きに嵌り合うことによって取り付け向きが一定するようにしている。さらに、仕切り板１７の前面には図１６に示すようにモータケース１４から左下へ延びたリードガイド１７ｂを形成してあり、このリードガイド１７ｂの下端のリード引出し孔１７ｃに対応する後壁部材２ｂの部分に図１４に示すような電源コード通し孔２ｂ３を形成してある。
【００３７】
モータ５は図５に示すように後方に突出したモータ軸５ｃの断面半月部５ｄに羽根車１ａの側板にある図３、図４、図５に示すような半月孔１ａ１と、前記側板の前後面に当てがった金属製のワッシャ２６、２７の半月孔とを嵌め合わせて、ねじ２８でそれらをモータ軸５ｃとの間で挟み付け固定している。ここで、後面側のワッシャ２７は図３、図５に示すような凹部２９ａに嵌り合い、その内周数個所に突出している回りとめ部２９ａ１と係合してモータ軸５ｃの回転を羽根車１ａに無理無く伝達できるようにしている。前面側のワッシャ２６も凹部２９ｂに嵌り合っているが、その嵌り合いによって回転を伝達するようにはしていない。しかし、回転を伝達するようにしてもよい。
【００３８】
ファン１の羽根車１ａの翼１ａ２は前端内周の側に切り欠き１ａ３を設けてあり、これに前記吸気口１ｂ１が軸線１１の方向に入り組み、翼１ａ２の前端はモータ５の後端よりも前方に位置している。これにより、ファン１およびモータ５の軸線１１の方向の組み合わせ寸法は、ファン１の軸線１１の方向の寸法と、モータ５の軸線１１の方向の寸法との合計よりも小さくなるようにしている。しかも、モータ５はその本体部５ｄの軸線１１の方向の寸法が直径のほぼ１／３となるいわゆる扁平モータとしてあり、本体２の軸線１１の方向の厚みが大きく抑えられている。図示する例では９ｃｍ弱程度となっており、従来最も薄型のものが１００ｍｍ程度であったのに対し、フィルタの軸線１１の方向での寸法を小さくしないで８０〜９０ｍｍ程度の厚みとすることができる。
【００３９】
また、モータ５および吸気口１ｂ１は、図１に示し、図１５、図１６のモータケース１４の位置から明らかなように、本体２の下方寄りで、かつ、左右の一方側に寄って設けてある。これによって、脱臭フィルタ３ａおよび集塵フィルタ３ｂの左右上下寸法に対しやや小さ目程度の直径を有した大きな羽根車１ａを採用しながら、図１５に示すような本体２内の左右上下寸法を１００％ないしはそれに近く活かして設けたベルマウス１ｂ４との協働にて、十分な送風量が得られるようにしている。この結果、本体２の左右上下寸法も小さく抑えられている。
【００４０】
脱臭フィルタ３ａは図６、図７に示すように表裏を通気性素材によって覆い、内周と外周とはヒートシール部３ａ１にて封止している。集塵フィルタ３ｂは図８、図９に示すように、枠材３ｂ１を貼り合せて周壁とし、モータ５および保持枠２１との間で蛇腹折り構造による空気漏れを防止するようにしている。
【００４１】
【発明の効果】
本発明の空気清浄機によれば、清浄化部がモータの回りに配置されて、本体内はその吸気口を持った前壁の後方にファンおよびモータが軸線方向に並ぶだけのスペースがあればよく、吸気口や清浄化部の通風面積をモータのまわりで十分に大きくとって性能を確保しても、本体は扁平化して奥行きの小さな全体にかさ張らないものとなる。従って、性能の低下なしに、邪魔になりにくい体裁のよいものとなる。また、清浄化部がモータのまわりにあっても、モータが本体の吸気口側にあることによりファンは清浄化部の下流に位置して清浄化された空気にしか触れないので、吸引する空気に随伴する塵埃が付着するようなことがないし、付着した塵埃が清浄化後室内に戻される空気に随伴するようなことを回避することができる。
【００４２】
清浄化部の厚みはモータの軸線方向寸法以内である、さらなる構成によれば、
清浄化部の厚みを増してその性能を高めるにも、モータから軸線方向にはみ出した専用スペースをとらないので、ファンおよびモータの軸線方向寸法程度に本体を扁平化することを妨げない。
【００４３】
清浄化部がフィルタであって、モータと嵌め合わせる孔を有している、さらなる構成によれば、
清浄化部はモータと孔で嵌り合ってモータのまわりに位置して、フィルタ材やその構造に応じ濾過またはおよび吸着といった各種の清浄化機能を、モータに邪魔されることなく発揮することができる。
【００４４】
本体内のファンケーシング部に、フィルタを支持している、さらなる構成によれば、
フィルタを本体内に支持するのに本体内のファンケーシング部を共用するので、特別な専用の支持部材や組み立て作業が不要で構造が簡略化しコストを低減することができる。
【００４５】
フィルタはフィルタ材を一方向に蛇腹折りしてあり、前記孔は相対向する２辺が蛇腹折りの折り目に沿い、他の相対向する２辺が蛇腹折りの折り目に直交する矩形形状である、さらなる構成によれば、
フィルタ材の蛇腹折りにより平坦材に比して通風面積が格段に増大し、その分だけ濾過機能が増大し、通風抵抗を低減することができる。また、蛇腹折り方向が一方向であって、しかも、モータと嵌り合う孔が相対向する２辺が蛇腹折りの折り目に沿い、他の相対向する２辺が蛇腹折りの折り目に直交する矩形形状であるので、所定の形状および大きさを持った孔を形成することも含め製作しやすいものとなる。
【００４６】
モータが前記孔と嵌り合う横断面矩形のモータケースに収容している、さらなる構成によれば、
モータはそれを収容したモータケースにて横断面矩形の外形を容易に得て、フィルタの矩形の孔と隙間なしに嵌り合うことができ、フィルタとの間で空気が漏れるようなことを防止することができる。
【００４７】
モータケースが、ケーシング部に一体成形されている、さらなる構成によれば、
モータを収容するモータケースを設けるのに、ケーシング部を共用するので、特別な専用の部材や組立て作業が不要であるので、構造が簡略化しコストが低減する。
【図面の簡単な説明】
【図１】本発明に係る空気清浄機の１つの実施例を示す断面図である。
【図２】図１の空気清浄機の一部の断面図である。
【図３】図１の空気清浄機におけるファンの羽根車を示す断面図である。
【図４】図３の羽根車の一部正面図である。
【図５】図３の羽根車の一部背面図である。
【図６】図１の空気清浄機における脱臭フィルタの側面図である。
【図７】図６の脱臭フィルタの一部正面図である。
【図８】図１の空気清浄機における集塵フィルタの側面図である。
【図９】図８の集塵フィルタの一部正面図である。
【図１０】図１の空気清浄機における本体の前壁部材の背面図である。
【図１１】図１０の前壁部材の断面図である。
【図１２】図１の空気清浄機の本体の平面断面図である。
【図１３】図１の空気清浄機における本体の後壁部材の断面図である。
【図１４】図１３の後壁部材の正面図である。
【図１５】図１の空気清浄機における仕切り板の背面図である。
【図１６】図１５の仕切り板の正面図である。
【図１７】図１５の仕切り板の断面図である。
【図１８】図１５の仕切り板にあるモータケースの蓋を示す背面図である。
【図１９】図１８の蓋の断面図である。
【図２０】従来の空気清浄機の１つの例を示す断面図である。
【符号の説明】
１  ファン
１ａ  羽根車
１ｂ  ケーシング
２  本体
２ａ  前壁部材
２ａ１  前壁
２ｂ  後壁部材
２ｂ１  後壁
３  清浄化部
３ａ  脱臭フィルタ
３ｂ  集塵フィルタ
４  室
５  モータ
１ｂ１、６  吸気口
１ｂ２、８  排気口
７  空気
７ａ  清浄化空気
１１  軸線
１２  孔
１３  折り目
１４  モータケース
１７  仕切り板
【図１】
2004361051.tif 000003
【図２】
2004361051.tif 000004
【図３】
2004361051.tif 000005
【図４】
2004361051.tif 000006
【図５】
2004361051.tif 000007
【図６】
2004361051.tif 000008
【図７】
2004361051.tif 000009
【図８】
2004361051.tif 000010
【図９】
2004361051.tif 000011
【図１０】
2004361051.tif 000012
【図１１】
2004361051.tif 000013
【図１２】
2004361051.tif 000014
【図１３】
2004361051.tif 000015
【図１４】
2004361051.tif 000016
【図１５】
2004361051.tif 000017
【図１６】
2004361051.tif 000018
【図１７】
2004361051.tif 000019
【図１８】
2004361051.tif 000020
【図１９】
2004361051.tif 000021
【図２０】
2004361051.tif 000022